(57)【特許請求の範囲】
【請求項１】
電磁波シールドガラスをアルミサッシ枠に導電接合した電磁波シールドサッシにおいて、電磁波シールドガラスと対峙する縁板と、該縁板に所定の間隔を保って平行に、かつ、該縁板に周面部材を介して一体に結合された表面板と、を有するステンレス材により構成された電磁波シールドカバーが、前記アルミサッシ枠の縦枠及び横枠の室内側の全周を覆うことにより、縁板が電磁波シールドガラスと導電性バッカーを介して導電接合され、表面板が躯体の電磁波シールド部材と導電性接合部材を介して導電接合されたことを特徴とする電磁波シールドサッシ。
【発明の詳細な説明】
【０００１】
【発明の属する技術分野】
本発明は、電磁波シールドサッシに関し、特に、簡易な構造でありながら高度の減衰性能を発揮する電磁波シールドサッシに関する。
【０００２】
【従来の技術】
最近の建築物は、情報化時代に対応してＯＡ機器、パソコン、大型コンピュータ等の高度な情報機器に応えることが要求され、外来からの不要輻射電波から建築物内部の電子機器を誤動作から保護するために建物自体を電磁波シールドする傾向にある。
【０００３】
このために、建築物の躯体及び窓や出入口等の開口部を電磁波シールド手段によって構築し、建築物全体を電磁波シールド構造にすることが行なわれているが、従来の電磁波シールド室３０では、部屋の窓３１に対しては電磁波シールド処置を施さずに、図４（ａ）に示すように、窓３１を有する壁３２の内側にシールド間仕切り３３を作って、そこに形成した出入口３４と窓枠３５にシールド網戸３６を張ることで電磁波シールドする工法が大部分であり、図４（ａ）の（ｂ）−（ｂ）矢視図である図４（ｂ）に正面図で示すように、窓３１をシールド網戸３６を張ったシールド間仕切り３３で閉鎖するものであるから、視界が完全に閉鎖される状態になり、居住性が極めて悪くなる状況は避けようがなかった。
【０００４】
このような居住性を改善するために、電磁波シールドガラスを開発して、建物のサッシに、この電磁波シールドガラスを配置する工法も採用されているが、この工法では要求される電磁波シールド性能が３０ｄＢ〜４０ｄＢ程度までは対処可能であるが、６０ｄＢの電磁波シールド性能を確保することが困難であった。
【０００５】
【発明が解決しようとする課題】
本件発明者が、電磁波シールドガラスを配置したサッシが、６０ｄＢの電磁波シールド性能を確保出来ない要因について検討したところ、原因は電磁波シールドガラスにあるのでなく、これを取り付けているアルミサッシにあることを確認した。
【０００６】
そこで、電磁波シールドガラスを取り付けているアルミサッシに対して金属メッシュを張ることで対処することも可能であるが、その居住性は悪い。又、サッシをアルミ製から他の材質のものに変更することも検討されたが、居住性を考慮するとサッシは防錆にする必要があることから材質はステンレス製になり、サッシの製造コストを大幅に増大させることになる。
【０００７】
本発明は、上記の問題に鑑みて検討されたものであり、電磁波シールドガラスを取付けているアルミサッシに簡易な付加構造を施すことによって、居住性を保ちながら６０ｄＢという高度の電磁波シールド性能を容易に確保できる電磁波シールドサッシを提供している。
【０００８】
【課題を解決するための手段】
本発明に係る電磁波シールドサッシは、電磁波シールドガラスをアルミサッシ枠に導電接合した電磁波シールドサッシにおいて、電磁波シールドガラスと対峙する縁板と、該縁板に所定の間隔を保って平行に、かつ、該縁板に周面部材を介して一体に結合された表面板と、を有するステンレス材により構成された電磁波シールドカバーが、前記アルミサッシ枠の縦枠及び横枠の室内側の全周を覆うことにより、縁板が電磁波シールドガラスと導電性バッカーを介して導電接合され、表面板が躯体の電磁波シールド部材と導電性接合部材を介して導電接合されたことを特徴とする。このため、電磁波シールドカバーの強度と意匠性が確保され、居住性を保ちながら、６０ｄＢという高度の電磁波シールド性能を容易に確保される。しかも、電磁波シールドカバーが、ステンレス材で構成されているので、耐候性と防錆性能及び景観性が向上される。
【００１２】
【発明の実施の形態】
本発明による電磁波シールドサッシは、基本的に、電磁波シールドガラスをアルミサッシ枠に導電接合した電磁波シールドサッシにおいて、アルミサッシ枠の室内側に配備されアルミ以上の導電率を有する部材で構成されるアルミサッシ枠を塞ぐ形状の電磁波シールドカバーと、電磁波シールド枠と電磁波シールドガラスとの間に介在される導電性バッカー及び電磁波シールドカバーを躯体の電磁波シールド部材に接続する導電性接合部材から構成している。
以下に、本発明の実施の形態を図面に基づいて説明する。
【００１３】
図１は、本発明による電磁波シールドサッシを適用した病院における検査室の断面図である。
【００１４】
本実施の形態である検査室１は、図１（ａ）に示すように、壁２、床３及び図示されていない天井が電磁波シールドされており、開口部である窓４には、アルミ電解着色された電磁波シールドサッシ５が配置され、出入口６には、電磁波シールド引戸７が装備されている。
【００１５】
図１（ｂ）は、図１の（ｂ）−（ｂ）矢視図である。正面図として示す電磁波シールドサッシ５は、本発明によって構成されることで６０ｄＢの電磁波シールド性能を確保していることから、同様の電磁波シールド性能を確立している他の部位と相俟って、検査室１は、電磁波シールド引戸７を閉塞した場合に、６０ｄＢの電磁波シールド性能を発揮する電磁波シールド室を構成している。
【００１６】
そして、図からも明らかなように、電磁波シールド窓を閉塞するものは全く存在していないことから、検査室１の景観は最適状態に保持されている。
【００１７】
図２は、図１の電磁波シールド窓の平断面であり、２層に構成されているガラス窓のうち、内側のガラス窓が電磁波シールドされている。
【００１８】
内側のガラス窓１０は、電磁波シールドサッシ５によって構成されており、電磁波シールドサッシ５は、従来の電磁波シールドアルミサッシ１１とその室内側に付設されている電磁波シールドカバー１２とで構成されている。
【００１９】
従来の電磁波シールドアルミサッシ１１は、電磁波シールドガラス１３とアルミサッシ枠１４とが導電性ガスケット１５、１６で導電状態に接合されて一体の電磁波シールド面１７を形成している。
【００２０】
電磁波シールドカバー１２は、本実施の形態ではステンレス材で構成されており、電磁波シールドアルミサッシ１１のアルミサッシ枠１４を内面から覆うように配置されている。
【００２１】
又、電磁波シールドカバー１２の左右を構成している縦方向の枠材１８、１８’は、導電性バッカー１９を介在させて電磁波シールドガラス１３と導電状態に接合しており、導電性接合部材２０に結合して、壁の電磁波シールドを構成する電磁波シールド部材２１と導電性接合部材２０を介して接合することで、一体の導電面を形成している。
【００２２】
尚、図２において、電磁波シールド部材２１と接合していない反対側の導電性接合部材２０は、意匠面から配置されている壁面２１の前面を覆うステンレス製のカバー２２に結合している。
【００２３】
図３は、電磁波シールド窓の立断面であり、電磁波シールドカバー１２の上下を構成している横方向の枠材２３、２３’を詳細に示している。
【００２４】
枠材２３、２３’は、枠材１８、１８’と同様に導電性バッカー１９を介在させて電磁波シールドガラス１３と導電状態に接合しており、導電性接合部材２０に結合して、電磁波シールドした床や天井と結合している上下壁の電磁波シールドを構成する電磁波シールド部材２１と導電性接合部材２０を介して接合することで、一体の導電面を形成している。
【００２５】
電磁波シールドカバー１２の各枠材は同様の形状で構成されており、アルミサッシ枠１４の内側縁２４を越える内側に位置する縁板２５とアルミサッシ枠１４を覆ってその外側縁２６の方向に延在する表面板２７とを周面部材２８で一体に結合してＣ型状に構成されている。
【００２６】
縁板２５は、電磁波シールドガラス１３との間に導電性バッカー１９を介在させており、表面板２７は、導電性接合部材２０に結合して躯体側の電磁波シールド部材２１と導電状態に接合することで、電磁波シールド窓の景観を確保しながら室内空間を６０ｄＢレベルに電磁波シールドしている。
【００２７】
尚、本実施の形態では、電磁波シールドカバーの各枠材をＣ型状に構成して縁板２５と表面板２７との間に空隙を形成したり、導電性接合部材２０を中空の矩形体に構成しているが、枠材や導電性接合部材の形状はこれらの実施の形態に限定されるものでなく、本来の機能と考慮すべき意匠性を満たすものであれば、他の実施の形態を採用できるものである。
【００２８】
以上のように、本発明による電磁波シールドサッシは、基本的に、電磁波シールドガラスをアルミサッシ枠に導電接合した電磁波シールドサッシにおいて、アルミサッシ枠の室内側に配備されアルミ以上の導電率を有する部材で構成されるアルミサッシ枠を塞ぐ形状の電磁波シールドカバーと、電磁波シールドカバーと電磁波シールドガラスとの間に介在される導電性バッカー及び電磁波シールドカバーを躯体の電磁波シールド部材に接続する導電性接合部材から構成しており、これによって、居住性を保ちながら高度の電磁波シールド性能を容易に確保しており、電磁波シールドカバーの防錆と耐候性及び意匠性を確保している。
【００２９】
以上、本発明を実施の形態に基づいて詳細に説明してきたが、本発明による電磁波シールドサッシは、上記実施の形態に何ら限定されるものでなく、電磁波シールドカバーの材質、形状及び電磁波シールドガラスとの接合方法等に関して、本発明の趣旨を逸脱しない範囲において種々の変更が可能であることは当然のことである。
【００３０】
【発明の効果】
本発明に係る電磁波シールドサッシは、電磁波シールドカバーが、前記アルミサッシ枠の室内側全周を覆うことにより、縁板が電磁波シールドガラスと導電性バッカーを介して導電接合され、表面板が躯体の電磁波シールド部材と導電性接合部材を介して導電接合されたので、高度の電磁波シールド性能が容易に低コストで確保されるという効果を発揮する。
【００３１】
また、電磁波シールドカバーが、電磁波シールドガラスと対峙する縁板と、該縁板に所定の間隔を保って平行に、かつ、該縁板に周面部材を介して一体に結合された表面板と、を有するので、電磁波シールドカバーの強度と意匠性が確保され、居住性を保ちながら所望の電磁波シールド性能が容易に確保されるという効果を発揮する。
【００３２】
さらに、電磁波シールドカバーがステンレス材で構成されるので、耐候性と防錆性能及び景観性を向上させる効果を発揮する。
【図面の簡単な説明】
【  図１】本発明による電磁波シールドサッシを適用した電磁波シールド室の平断面図
【  図２】本発明による電磁波シールドサッシの平断面図
【  図３】本発明による電磁波シールドサッシの立断面図
【  図４】従来の電磁波シールド室の平断面図
【符号の説明】
１  検査室、  ２  壁、  ３  床、  ４  窓、  ５  電磁波シールドサッシ、
６  出入口、  ７  電磁波シールド引戸、
１０  ガラス窓、  １１  電磁波シールドアルミサッシ、
１２  電磁波シールドカバー、  １３  電磁波シールドガラス、
１４  アルミサッシ枠、  １５、１６  導電性ガスケット、
１７  電磁波シールド面、  １８、１８’  縦方向の枠部材、
１９  導電性バッカー、  ２０  導電性接合部材、
２１  電磁波シールド部材、  ２２  カバー、
２３、２３’   横方向の枠部材、  ２４  アルミサッシの内側縁、
２５  縁板、  ２６  アルミサッシの外側縁、  ２７  表面板、
２８  周面部材、
３０  電磁波シールド室、  ３１  窓、  ３２  壁、
３３  シールド間仕切り、  ３４  出入口、  ３５  窓枠、
３６  シールド網戸、
【図１】
0003911660.tif 000002
【図２】
0003911660.tif 000003
【図３】
0003911660.tif 000004
【図４】
0003911660.tif 000005